(57)【要約】【課題】視聴している番組とは別の別画面に表示されている番組についてチャンネルの切り替えやデータ連動状態への切り替えといった「操作」を可能とするテレビジョン受信機を提供すること。【解決手段】モニターの画面を２つに分割して受信内容を各画面に表示する２画面表示を可能としたテレビジョン受信機において，上記２画面のうち一方の画面に表示されている受信内容を視聴状態としつつ，他方の画面に表示されている受信内容について少なくともチャンネル切り替えを含む操作を可能とする手段を備えてなることを特徴とするテレビジョン受信機。【選択図】図５
2007324993.tif 000002
【特許請求の範囲】
【請求項１】
モニターの画面を２つに分割して，選局されたチャンネルに割り当てられた番組内容と文字情報とを各画面に表示する２画面表示を可能としたテレビジョン受信機において，
上記２画面のうちの一方の画面については選局されたチャンネルに割り当てられた番組内容を表示すると共にその表示に対応する音声を出力する視聴状態とし，他方の画面については適宜のチャンネルに割り当てられた文字情報を表示する２画面連動表示手段と，
上記他方の画面について表示内容の変更を指示する表示内容変更指示手段と，
上記一方の画面の表示及び音声出力の状態を上記視聴状態としつつ，上記表示内容変更指示手段からの表示内容変更指示に基づいて，上記他方の画面における文字情報の表示について少なくともチャンネル切り替えを含む画面操作処理を実行する他画面操作手段と，
を備えてなることを特徴とするテレビジョン受信機。
【請求項２】
上記視聴状態にある上記一方の画面の一部に視聴状態を知らせる視聴マークを表示し，上記他方の画面の一部に，文字情報の表示に関する画面操作が可能な状態であることを表示する操作可能マークを表示する手段を更に備えてなる請求項１に記載のテレビジョン受信機。
【発明の詳細な説明】
【技術分野】
【０００１】
本発明は，モニターの画面を２つに分割して，選局されたチャンネルに割り当てられた番組内容と文字情報とを各画面に表示する２画面表示を可能としたテレビジョン受信機に係り，特に現在視聴中でない文字情報を表示中の画面側についてもチャンネル変更などの操作を可能とすることのできるテレビジョン受信機に関するものである。
【背景技術】
【０００２】
従来，テレビ放送波の垂直帰線期間にデータ（文字情報）を重畳するデータ多重放送を受信するデータ放送受信装置において，少なくとも１画面にデータ放送画面（文字情報の表示画面）とテレビ映像との複数画面を表示可能とする画像処理手段を備え，前記画像処理手段によりテレビ放送とデータ放送を同時に表示するテレビジョン受信機が特許文献１に記載されている。
また，特許文献２には，第１及び第２のチューナを含み同時に２チャンネルのテレビジョン放送信号を受信できる受信手段と，前記第１のチューナの受信信号である映像信号と，前記第２のチューナの受信信号である映像信号とをそれぞれ圧縮して，表示手段の左右にそれぞれ表示させる２画面表示用の映像信号処理手段と，前記第１と第２のチューナが受信した各テレビジョン放送信号の映像信号を交互に選択導出するスイッチ手段と，前記スイッチ手段の出力が供給され，前記テレビジョン放送信号に含まれておりその映像・音声信号とは独立したデータチャンネルに多重されて伝送されてくるデータ放送を受信し，復調するデータ放送受信及び復調手段と，前記データ放送受信及び復調手段が補完番組の有無を検出した場合，各チャンネルに対応させてその判定結果を格納する判定結果格納手段と，前記判定結果格納手段の判定結果を参照して，補完番組が放送されているチャンネルの前記映像信号に対しては，補完番組マークを重畳して表示させるマーク重畳手段とを具備してなるデータ放送信号を受信可能なテレビ受信機が開示されている。
このような特許文献に記載のテレビジョン受信機では，たとえば図１の（ａ）のように，単独の画面に例えばＢＳ１０３ｃｈが放送されている状態（番組の動画が表示されていると共にその番組の音声が出力されている，即ち視聴されている状態）で，複数画面への切り替えが行われると，図１の（ｂ）のようにＢＳ１０３ｃｈ放送の文字データ部分（以下データ連動放送という）が全画面表示されると共に，ＢＳ１０３ｃｈの番組放送画面が上記ＢＳ１０３ｃｈのデータ連動放送に重ねて縮小表示されるように設定されている。この場合，音声は上記縮小表示されているＢＳ１０３ｃｈの番組放送に関する音声である。
上記のように，１画面によるデータ連動放送状態を２画面表示に切り替える事もできる。図２はそのような切り替え手順を示している。図２の（ａ）は図１の（ｂ）と同じく，１画面による番組放送とデータ連動放送との組み合わせ状態を示している。この状態でユーザが「２画面キー」を押すと，（ｂ）のように２画面状態となる。この時，左画面（メイン画面という）にはＢＳ１０３ｃｈのデータ連動放送画面に縮小されたＢＳ１０３ｃｈの番組放送画面が重ねられた画面が表示され，右側の画面（サブ画面という）には，別のチューナを介して受信された放送が表示される。ここでは，左側に既に表示されているＢＳ１０３ｃｈを受信することもそれ以外の番組放送を受信することもできる。ただし，この状態では，音声は左画面のＢＳ１０３ｃｈ（縮小表示されている）の音声が出力されている。即ち，視聴されているのはあくまで左画面（メイン画面）に表示された放送にかかる音声である。そのため，左側画面の左上に「♪」が表示されている。また，チャンネルの切り替えや音量の変更などの各種操作は，上記視聴されている左の画面の中でも視聴中の縮小表示された「ＢＳ１０３ｃｈ」についてのみ可能である。
次に，ユーザが「操作切り替えキー」を押すと，画面自身は図２の（ｂ）と変わらないが，音声が右側画面（サブ画面）に表示された放送の音声となる。そのため（ｃ）のように右側画面の右上に「♪」が表示される。そして，チャンネル操作などの操作も右側画面に表示された放送についての操作のみが可能である。
特許文献２に記載されたテレビジョン受信機についても基本的には同様であるが，この場合，あるチャンネルの番組を受信して視聴している状態で，チャンネルを切り替えると，その切り替えられた局からの番組に対応する補完番組（文字データ情報）が受信されているかどうかを判断し，補完放送が受信されているチャンネルの前記映像信号に対しては，補完番組マークを重畳して表示させることによって，番組内容のみでなく文字情報も見られることを視聴者が理解できるように構成されている。
この文献では，ある番組とそれに対応する商品のテレビショッピングや，アンケートを実行するための補完番組（文字データ情報）を問題にしており，視聴者が見ている番組とは別のチャンネルに対応する文字情報を表示するようなことは予定していない。
【特許文献１】特開平１０−３０４３２７号公報
【特許文献２】特開平９−７００２５号公報
【発明の開示】
【発明が解決しようとする課題】
【０００３】
このように上記特許文献１及び２のいずれにおいても，上記のようにチャンネルの切り替えあるいはデータ連動への切り替えといった「操作」を行うことができるのは，上記のようにあくまで視聴中の放送内容の表示画面に限られ（上の例では「♪」の表示された画面の側に限られ），画面のみが表示され視聴していない側の放送内容の表示画面については，「操作」を行うことができなかった。
しかしながら，このようなテレビジョン受信機の使用の実際に当たっては，例えばＢＳ１０３ｃｈといったあるチャンネルの番組を視聴しつつ，裏番組としてそのチャンネルに対応する広告などの文字放送の画像だけを流している状態で，視聴はあくまでＢＳ１０３ｃｈを維持しつつ裏番組のチャンネルだけを，例えば天気予報，株式情報などの別のチャンネルの文字放送に変えたいという場合がある。
しかし，従来のテレビジョン受信機では，２画面表示状態において，上記のように視聴番組の表示画面ではない側の表示画面の「操作」をすることができなかったので，上記のような視聴中のチャンネルを固定した状態で，他のチャンネルの文字放送（文字情報）の内容を見たいというユーザの期待には応えることができないものであった。
従って，本発明は上記事情に鑑みてなされたものであり，その目的とするところは，２画面表示状態で視聴している一方の画面の視聴状態を維持しながら，これとは別の他方の画面に表示されている文字情報の表示画面について少なくともチャンネルの切り替えを含む「操作」を可能とすることによりユーザにとっての利便性が高いテレビジョン受信機の提供を目的とするものである。
【課題を解決するための手段】
【０００４】
従来，モニターの画面を２つに分割して受信内容を各画面に表示する２画面表示を可能としたテレビジョン受信機においては，２つの画面のうち片方を視聴している時は，他方についてはチャンネルの切り替えその他の操作が出来ず，不便であったものを，上記２画面のうちの一方の画面に表示されている受信内容を視聴状態としつつ，他方の画面に表示されている文字情報について少なくともチャンネル切り替えを含む操作を可能としたものである。
これによって，一方の画面について音声を発生させる視聴を行いつつ，他方の画面についてもチャンネル切り替えや，画面の拡大縮小，更にはデータ連動状態への切り替えなどの操作を行いうるので，いわゆる裏番組についての楽しみ方が広がることになる。
【０００５】
この場合の，バリエーションとして，視聴状態にある画面の一部に視聴状態を知らせる視聴マークを表示し，上記少なくともチャンネル切り替えを含む操作を可能とされた画面の一部に，操作可能状態であることを表示する操作可能マークを表示する手段を備えてなるように構成することも可能である。
このような視聴マークおよび操作可能マークが表示されていることで，ユーザが現在どちらの画面を視聴しているのか，あるいは操作可能であるのかを人目で確認することが出来るので，視聴状態あるいは操作状態を簡単に知ることが出来る。
【発明の効果】
【０００６】
本発明によれば，２画面表示中に一方の画面について音声付きの視聴を行いつつ，他方の画面について少なくともチャンネル切り替えを含む操作を可能としたので，ユーザによるテレビジョン受信機の楽しみ方の幅を一挙に増幅せしめることが可能である。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図３は，本発明の実施の形態に係るテレビジョン受信機の制御ブロック図，図４は，同テレビジョン受信機の画面切り替えに関する制御手順を示すフローチャート，図５は，図４に示す手順の実行に従って変化する画面の状態を示す概念図である。
【０００８】
まず，図３のブロック図を用いて，本発明の一実施の形態に係るテレビジョン受信機の概略構成について説明する。
図に示すように，放送電波はアンテナＡＮＴから分配器１を経てテレビジョン受信機Ｔに受信される。このテレビジョン受信機Ｔには，２個のデジタルチューナＣ１およびＣ２が設けられており，上記分配器１から受信された放送電波は，各チューナＣ１およびＣ２を経て復調器Ｒ１およびＲ２でＭＰＥＧ２−ＴＳ信号に復調される。
ＭＰＥＧ２−ＴＳ信号に復調された放送信号は，デコーダ／データ放送処理用のＡＳＳＩＣに入力される。上記ＡＳＳＩＣは上記復調された２つの放送信号を受けて，各信号から番組データと文字多重データとを取り出すデコード／データ処理部３を備えている。
【０００９】
上記デコード／データ処理部３から出力された２系列の番組データと文字多重データとは，番組・データ切り替えスイッチＳＷ１およびＳＷ２を経て，メイン回路Ｃｍとサブ回路Ｃｓに出力される。
上記メイン回路Ｃｍとサブ回路Ｃｓは，それぞれビデオ信号と音声信号を含んでおり，上記２系列の信号はそれぞれ，ビデオスイッチＳＷ３，音声スイッチＳＷ４に入力される。
上記ビデオスイッチＳＷ３から出力されたビデオ信号は，２画面処理を司る映像信号処理回路５に入力され，２画面標示状態では２画面に分離されて，液晶コントローラ７を介して液晶画面ＬＣＤに表示される。
さらに前記メイン回路Ｃｍとサブ回路Ｃｓに出力された音声信号は，前記音声スイッチＳＷ４を経てアンプ９に出力され，スピーカ１１を駆動する。
【００１０】
ここにおいて，前記デコード／データ処理部３および番組・データ切り替えスイッチＳＷ１，ＳＷ２は，ＡＳＳＩＣの制御部１３により制御される。
またこの制御部１３は，外部のリモコン（不図示）によって操作されるマイクロコンピュータ（以下マイコンという）１５により制御される。従って，結果的に前記デコード／データ処理部３および番組・データ切り替えスイッチＳＷ１，ＳＷ２は，マイコン１５により制御される。
上記マイコン１５は，更に前記デジタルメインチューナＣ１およびデジタルサブチューナＣ２，更には，前記ビデオスイッチＳＷ３および音声スイッチＳＷ４の切り替え制御を行うとともに，前記映像信号処理部５の制御を行う。制御内容については後述される
またＤＶＤ，ＣＤ−ＲＯＭ等の外部入力あるいはアナログチューナからの信号も上記ビデオスイッチＳＷ３および音声スイッチＳＷ４に入力され，番組データや文字多重データと同様に処理される。
【００１１】
次に図４及び図５を参照して上記マイコン１５による画面切り替えの手順について説明する。
ここにＳ１，Ｓ２…は上記マイコン１５の処理手順（ステップ）の番号を示す。
図４に示すようにモニターに１画面の映像が表示される処理（Ｓ１）が行われている状態から処理はスタートする。
この状態では，マイコン１５からの指令によって，ＡＳＳＩＣの番組・データ切り替えスイッチＳＷ１が番組データ側に切り替えられており，かつビデオスイッチＳＷ３がメイン画面のみを出力するように制御されている。これにより，ＬＣＤは番組情報のメイン画面のみを表示している（図５の（ａ）の状態）。
【００１２】
ここでユーザによって「データ連動キー」（不図示）が押された（Ｓ２でｙｅｓ）場合，これを検出したマイコン１５は，サブチューナＣ２をメインチューナＣ１が選局しているチャンネルと同じチャンネルに選局すると共に，ＡＳＳＩＣの番組・データ切り替えスイッチＳＷ１はそのままにして，番組・データ切り替えスイッチＳＷ２をデータ側，即ち文字情報側に切り替える。これによって，ビデオスイッチＳＷ３には１つのチャンネルの番組情報がメイン回路Ｃｍから，文字情報がサブ回路Ｃｓから入力される。
この情報を受けた映像信号処理回路５は，マイコン１５からの指令により，画面を２画面状態に設定し，番組放送（たとえばＢＳ１０３ｃｈ）を左側画面（メイン画面）に，同じチャンネルの文字多重放送を右画面（サブ画面）に表示する。
このときマイコン１５は，音声スイッチＳＷ４を制御して，左側画面（メイン画面）の音声をスピーカ１１に出力する。
更にこのとき，マイコン１５は，リモコンからのチェンネル切り替え信号などの操作信号が入力されれば，その入力に基づいてメインのデジタルチューナＣ１を指定のチャンネルに切り替えるように，待機状態となる。即ちメイン側の番組情報が操作可能状態となっている（Ｓ３）。
これにあわせてマイコン１５は，左側画面（メイン画面）のブランキング領域に音声出力状態であることを表示する「♪」マーク（視聴マークの一例），および操作可能状態を表示する「★」マーク（操作可能マークの一例）を表示する。
この状態が図５（ｂ）に示されている。
【００１３】
この状態でユーザによって「操作切り替えキー」（不図示）が押される（Ｓ４でｙｅｓ）と，これを検出したマイコン１５は，ＡＳＳＩＣの番組・データ切り替えスイッチＳＷ１及びＳＷ２及びビデオスイッチＳＷ３，音声スイッチＳＷ４はそのままにして，リモコンからのチェンネル切り替え信号などの操作信号が入力されれば，その入力に基づいてサブのデジタルチューナＣ２を指定のチャンネルに切り替えるように，待機状態となる。即ちサブ側（右画面側）の番組情報を操作可能状態とする。
これにあわせてマイコン１５は，左側画面（メイン画面）のブランキング領域に音声出力状態であることを表示する「♪」マーク，および右側画面（サブ画面）のブランキング領域に操作可能状態を表示する「★」マークを表示する（Ｓ５）。
この状態が図５（ｃ）に示されている。
【００１４】
上記した図５（ｂ）のようにメイン（左）画面が視聴状態（選局されているチャンネルの番組内容を表示すると共にその番組の音声が出力される状態）でメイン（左）画面が操作可能状態の時に，ユーザによって「チャンネル切り替えキー」（不図示）が押される（Ｓ６でｙｅｓでかつＳ７でｙｅｓ）と，これを検出したマイコン１５は，ＡＳＳＩＣの番組・データ切り替えスイッチＳＷ１及びＳＷ２及びビデオスイッチＳＷ３，音声スイッチＳＷ４はそのままにして，リモコンから入力されたチャンネル情報に基づいてメインのデジタルチューナＣ１を指定のチャンネルに切り替える（Ｓ８）。
この時，左側画面（メイン画面）のブランキング領域に音声出力状態であることを表示する「♪」マーク，および操作可能状態を表示する「★」マークを表示する状態は維持される。
この状態が図５（ｄ）に示されている。
【００１５】
上記した図５（ｃ）のようにメイン（左）画面が視聴状態（音声出力状態でサブ（右）画面が操作可能状態の時に，ユーザによって「チャンネル切り替えキー」（不図示）が押される（Ｓ６でｙｅｓでかつＳ７でｎｏ）と，これを検出したマイコン１５は，ＡＳＳＩＣの番組・データ切り替えスイッチＳＷ１及びＳＷ２及びビデオスイッチＳＷ３，音声スイッチＳＷ４はそのままにして，リモコンからの入力されたチャンネル情報に基づいてサブのデジタルチューナＣ２を指定のチャンネルに切り替える（Ｓ９）。
この時，左側画面（メイン画面）のブランキング領域に音声出力状態であることを表示する「♪」マーク，および右側画面（サブ画面）のブランキング領域に操作可能状態を表示する「★」マークを表示する状態は維持される。
この状態が図５（ｅ）に示されている。
【００１６】
以上述べたところから明らかなように，この実施形態では，２画面表示されている状態で，現在選局されているチャンネルの番組内容を表示すると共にその番組の音声が出力状態にある，いわゆる視聴状態にある一方の画面の状態はそのままにして，他方の画面に表示中の文字情報について，少なくともチャンネルの切り替えを含む操作を可能とすることに成功した。これにより，例えば，現在視聴中の番組に関連する広告や，オークションを文字情報で表示していた状態から，他のチャンネルで送信されている別の広告，天気予報，株式情報といった文字情報を表示の対象とすることができるので，取得しうる情報の幅が広がり，ユーザにとってより付加価値の高いテレビジョン受信機を提供することができる。
【図面の簡単な説明】
【００１７】
【図１】従来のデータ連動画面の変化状態を示す概念図。
【図２】従来の２画面におけるデータ連動画面の変化状態を示す概念図。
【図３】本発明の実施の形態に係るテレビジョン受信機の制御ブロック図。
【図４】本発明の実施の形態に係るテレビジョン受信機の制御手順を示すフローチャート。
【図５】本発明の実施の形態に係るテレビジョン受信機の画面の変更状態を示す概念図。
【符号の説明】
【００１８】
ＡＮＴ…アンテナ
１…分配器
Ｔ…テレビジョン受信機
Ｃ１，Ｃ２…デジタルチューナ
Ｒ１，Ｒ２…復調器
３…デコード／データ処理部
ＳＷ１，ＳＷ２…番組・データ切り替えスイッチ
Ｃｍ…メイン回路
Ｃｓ…サブ回路
ＳＷ３…ビデオスイッチ
ＳＷ４…音声スイッチ
５…映像信号処理回路
７…液晶コントローラ
ＬＣＤ…液晶画面
【図１】
2007324993.tif 000003
【図２】
2007324993.tif 000004
【図３】
2007324993.tif 000005
【図４】
2007324993.tif 000006
【図５】
2007324993.tif 000007